(57)【要約】      （修正有）【課題】電路において過電流が発生した場合に配線保護のために遮断したこと、ならびに、電路に流れる電流が予め定められた設定電流値に達し所定の限時特性制御が行われたことにより電路を遮断したことを、回路遮断器外部から視認可能な回路遮断器を提供すること。【解決手段】回路遮断器１の外郭を構成する器体１０１内に、複数相の電路１０に各々設けられる第一及び第二の変流器１０５，１０６と、前記電路を入切する開閉機構部１０３と、前記開閉機構部に連動する操作ハンドルと、前記電路に所定の電流が流れた場合には前記開閉機構部に作用し引き外し動作を行う引き外し手段１０４、並びに、トリップコイル１０９と、電路に流れる電流を予め定められた設定電流値と比較することにより所定の限時特性制御を行う動作制御部１０８とを備え、前記器体には外部から視認可能に、前記限時特性制御がなされたことを表示する表示部３００を設けた。【選択図】図２
2008078003.tif 000002
【特許請求の範囲】
【請求項１】
回路遮断器の外郭を構成するケースとカバーとからなる器体と、該器体内には、複数相の電路における第一の相並びに第二の相を貫通するように各々設けられ負荷電流の大きさを検出する第一及び第二の変流器（ＣＴ）と、前記電路に介在し該電路を入切する開閉機構部と、前記開閉機構部に連動し前記器体外から操作可能なよう該開閉機構部を手動操作する操作ハンドルと、前記電路に所定の電流が流れた場合には前記開閉機構部に作用し引き外し動作を行う熱動素子並びに電磁引き外し素子とからなる引き外し手段と、前記開閉機構部に作用し所定の動作信号を受けて動作するトリップコイル（ＴＣ）と、前記変流器（ＣＴ）からの出力信号を受け取り演算し予め定められた設定電流値と比較することにより該設定電流値よりも前記負荷電流の大きさが大きい場合には所定の限時特性制御を行い前記トリップコイル（ＴＣ）に動作信号を出力する動作制御部とを備え、前記カバーには、前記器体外部から視認可能に、前記動作制御部による限時特性制御がなされたことを表示する表示部が設けられたことを特徴とする回路遮断器。
【請求項２】
前記第一の相並びに第二の相は単相三線式電路のＬ１相ならびにＬ２相であることを特徴とする請求項１記載の回路遮断器。
【請求項３】
前記動作制御部において、前記第一及び第二の変流器（ＣＴ）からの出力信号のベクトル合成和を演算して求めることを特徴とする請求項１乃至請求項２記載の回路遮断器。
【請求項４】
前記設定電流値を可変とする電流設定部を設け、該電流設定部における設定電流情報は前記動作制御部に入力されることを特徴とする請求項１乃至請求項４記載の回路遮断器。
【請求項５】
前記設定電流値は、電力会社と需要者との間で定められた契約電流の値と等しく設定されることを特徴とする請求項１乃至請求項４記載の回路遮断器。
【請求項６】
前記表示部は前記器体に設けられた孔部を介して該器体内外に露出可能に設けられ、前記トリップコイル（ＴＣ）の動作と連動し、該トリップコイル（ＴＣ）が前記開閉機構部に作用したときに、前記器体から外部に突出し、前記動作制御部による限時特性制御がなされたことを外部に視認可能に表示するよう設けられたことを特徴とする請求項１乃至請求項５記載の回路遮断器。
【請求項７】
前記表示部は、前記トリップコイル（ＴＣ）の動作と連動し、該トリップコイル（ＴＣ）が前記開閉機構部に作用したときに、前記器体に設けられた視認部から該視認部に対してスライド動作することにより該表示部が覗き、前記動作制御部による限時特性制御がなされたことを外部に視認可能に表示することを特徴とする請求項１乃至請求項５記載の回路遮断器。
【請求項８】
前記器体内部に蓄電部を設けるとともに、該蓄電部とスイッチ手段を介して接続され前記器体外部から視認可能な発光手段を設けて、前記動作制御部が前記トリップコイル（ＴＣ）に動作信号を出力したときには、前記スイッチ手段が駆動し、前記蓄電部から前記発光手段に電流が供給されることにより該発光手段が発光することを特徴とする請求項１乃至請求項７記載の回路遮断器。
【請求項９】
前記動作制御部から前記トリップコイルに向けて出力される動作信号を前記器体外部に取り出す信号出力手段を設けたことを特徴とする請求項１乃至請求項８記載の回路遮断器。
【発明の詳細な説明】
【技術分野】
【０００１】
この発明は、回路遮断器に係り、特に、複数相の電路における電流の大きさを変流器により検出するとともに、予め定められた設定電流値と比較して電路に流れる電流のベクトル合成和が大きな場合には、所定の限時特性制御を行い、該限時特性制御を行ったことが回路遮断器の外部から視認可能な機能を有する回路遮断器に関するものである。
【背景技術】
【０００２】
近年、一般家庭において、エアコンや洗濯・乾燥機、温水洗浄便座などの電気製品の普及が進み、これらの電化製品に電気を供給するための配線回路として専用回路を設置する必要があるなど、分電盤内に設けられる分岐回路数が増加する傾向にある。
【０００３】
前記分岐回路数が増加すると、分岐回路遮断器を収納する分電盤における該分岐回路遮断器を並設する方向の大きさが大きくなり、住居内における設置スペースの確保に制約が出てくることが懸念される。このような点に鑑みて、例えば特許文献１のように、分岐回路遮断器の器体をコンパクト化する開発がなされている。
【０００４】
また、分電盤には、前述した分岐回路遮断器のほか、該分岐回路遮断器に電力を分配する主回路遮断器、並びに、電力会社が定める場合には需要者との契約電流に応じて遮断電流が予め定められた電流制限器が設けられることが一般的である（特許文献２）。
【０００５】
出願人は、次のような、分電盤には、前述した分岐回路遮断器のほか、該分岐回路遮断器に電力を分配する主回路遮断器、並びに、契約電流に応じて遮断電流が定められた電流制限器が設けられることが一般的であるが、該分電盤内に、前記主回路遮断器並びに電流制限器の両方を設ける場合には、該分電盤の遮断器の並設方向の大きさが大きくなり、分岐回路遮断器の回路数が多くなってくると、住宅内において設置スペースの確保に制約が出てくる、という課題や、また、分電盤の供給者側にとっては、前記電流制限器の設置部を設けた分電盤と、該電流制限器の設置部を設けない分電盤の二種類の分電盤を開発・製造する必要が生じ、種々の分岐回路数に対応した分電盤の品揃えを行う場合、前記電流制限器のあり／なしに応じて、単純に２倍の種類の分電盤を開発・製造を行うため、開発コストや製造コスト、また、接続電線接続端子ならびに梱包部材など多くの周辺部品の在庫管理など種々のコストがかかるという課題がある、という事由に鑑み、電流制限器の要／不要にかかわらず、分電盤の大きさを統一することができ、使用者にとっては、分電盤の遮断器の並設方向の大きさをよりコンパクト化できることにより設置スペースの制約が低減でき、供給者側にとっては、分電盤の種類を半減することが可能で、開発コスト・製造コスト・在庫管理などのコストを低減することができ、ひいては負荷機器の使用に伴う過電流から配線を保護することができるとともに電力会社と需要者との間で定められる契約電流に応じて負荷電流を制御することができる回路遮断器の発明を行っている。
【特許文献１】特開２００１−１５００７号  図１
【特許文献２】特開２００６−８１２９６号  図１１
【発明の開示】
【発明が解決しようとする課題】
【０００６】
ところで、前記回路遮断器を使用するにあたり、該回路遮断器が動作し、電路を遮断した場合に外部から該回路遮断器が動作したことを把握するためには、電路に接続されている負荷機器の動作状況（通電状況）から把握するか、前記回路遮断器に設けられている操作ハンドルの位置（ＯＮ位置にあるか、もしくはＯＦＦ位置にあるか）を視認して動作状況を把握する必要があるが、該回路遮断器の遮断動作が、電路に過電流が流れた場合に行われる配線保護のための遮断動作であるのか、予め定められた設定電流値を電路に流れる電流の大きさが超えた場合に行われる限時特性制御がなされたための遮断動作であるのか、
を判別することは容易ではなく、使用者側で前記回路遮断器が動作した原因の把握や、該動作した原因の特定が行い難い、という課題があった。このため、前記回路遮断器に設けられている操作ハンドルを操作し該回路遮断器を復帰状態としても、再び同じ原因により回路遮断器が動作してしまい、使用者の利便性を損ねてしまうという可能性があった。
【０００７】
そこで本件の発明の目的とするところは、電路において過電流が発生した場合に配線保護のために遮断したこと、ならびに、電路に流れる電流が、予め定められた設定電流値に達し所定の限時特性制御が行われたことにより電路を遮断したことを、回路遮断器外部から視認可能な回路遮断器を提供することを目的としている。
【課題を解決するための手段】
【０００８】
上述の目的を達成するために，本発明の請求項１では，回路遮断器の外郭を構成するケースとカバーとからなる器体と、該器体内には、複数相の電路における第一の相並びに第二の相を貫通するように各々設けられ負荷電流の大きさを検出する第一及び第二の変流器（ＣＴ）と、前記電路に介在し該電路を入切する開閉機構部と、前記開閉機構部に連動し前記器体外から操作可能なよう該開閉機構部を手動操作する操作ハンドルと、前記電路に所定の電流が流れた場合には前記開閉機構部に作用し引き外し動作を行う熱動素子並びに電磁引き外し素子とからなる引き外し手段と、前記開閉機構部に作用し所定の動作信号を受けて動作するトリップコイル（ＴＣ）と、前記変流器（ＣＴ）からの出力信号を受け取り演算し予め定められた設定電流値と比較することにより該設定電流値よりも前記負荷電流の大きさが大きい場合には所定の限時特性制御を行い前記トリップコイル（ＴＣ）に動作信号を出力する動作制御部とを備え、前記カバーには、前記器体外部から視認可能に、前記動作制御部による限時特性制御がなされたことを表示する表示部が設けられた
ことを特徴として回路遮断器を提供したものである。
【０００９】
これにより、電路において過電流や短絡電流が発生した場合には配線保護のために速やかに電路を断路して配線の保護を行うことができるとともに、所定の設定電流値よりも大きな電流が発生した場合には所定の限時特性に基づいて電路を断路することができるそれぞれの断路要因について回路遮断器の外部から確実に視認可能な回路遮断器を提供することができるものである。
【００１０】
また、前記第一の相並びに第二の相は単相三線式電路のＬ１相ならびにＬ２相であることを特徴として構成してもよい。
【００１１】
これにより、住宅において一般的に用いられる単相三線式の電路において、各電圧相に流れる電流の大きさを検出することができ、実使用に則した電流の値を検出することを可能とすることができるものである。
【００１２】
また、前記動作制御部において、前記第一及び第二の変流器（ＣＴ）からの出力信号のベクトル合成和を演算して求めることを特徴として構成してもよい。
【００１３】
これにより、複数相の電路における全体の電流使用量を、前記設定電流値と比較することができるため、実使用に則した電路の遮断動作制御を行うことができるものである。
【００１４】
また、前記設定電流値を可変とする電流設定部を設け、該電流設定部における設定電流情報は前記動作制御部に入力されることを特徴として構成してもよい。
【００１５】
これにより、制御したい電流の大きさを可変に定めることができ、所望する設定電流を変更したい場合において、速やかに設定電流値を変更することができるものである。
【００１６】
また、前記設定電流値は、電力会社と需要者との間で定められた契約電流の値と等しく設定されることを特徴として構成してもよい。
【００１７】
これにより、電路に流れる電流の大きさが、前記契約電流値と比較して大きい場合には所定の限時特性に基づいて電路の断路処理が行え、電流制限器としての機能を備えるとともに、該電路に過電流や短絡が発生した場合には、熱動素子や電磁引き外し素子からなる引き外し装置が駆動することにより配線保護のために電路の断路処理が行え、配線用遮断器としての機能を備えることができるものである。
【００１８】
また、前記表示部は前記器体に設けられた孔部を介して該器体内外に露出可能に設けられ、前記トリップコイル（ＴＣ）の動作と連動し、該トリップコイル（ＴＣ）が前記開閉機構部に作用したときに、前記器体から外部に突出し、前記動作制御部による限時特性制御がなされたことを外部に視認可能に表示するよう設けられたことを特徴として構成してもよい。
【００１９】
これにより、動作制御部による限時特性制御がなされた場合には、表示部が前記器体から外部に突出することにより、動作制御部による限時特性制御がなされることによる遮断動作であることが確実に回路遮断器外部から視認可能とすることができるものである。
【００２０】
また、前記表示部は、前記トリップコイル（ＴＣ）の動作と連動し、該トリップコイル（ＴＣ）が前記開閉機構部に作用したときに、前記器体に設けられた視認部から該視認部に対してスライド動作することにより該表示部が覗き、前記動作制御部による限時特性制御がなされたことを外部に視認可能に表示することを特徴として構成してもよい。
【００２１】
これにより、動作制御部による限時特性制御がなされた場合には、表示部が前記視認部に対してスライド動作することにより該表示部が該視認部から覗き、動作制御部による限時特性制御がなされることによる遮断動作であることが確実に回路遮断器外部から視認可能とすることができるものである。
【００２２】
また、前記器体内部に蓄電部を設けるとともに、該蓄電部とスイッチ手段を介して接続され前記器体外部から視認可能な発光手段を設けて、前記動作制御部が前記トリップコイル（ＴＣ）に動作信号を出力したときには、前記スイッチ手段が駆動し、前記蓄電部から前記発光手段に電流が供給されることにより該発光手段が発光することを特徴として構成してもよい。
【００２３】
これにより、動作制御部による限時特性制御がなされ、トリップコイルに動作信号が出力されたときには、前記発光手段が発光することにより、動作制御部による限時特性制御がなされることによる遮断動作であることが確実に回路遮断器外部から視認可能とすることができるものである。また、前記回路遮断器が収められている分電盤が暗所に取り付けられている場合や夜間における動作であった場合においても、動作制御部による限時特性制御がなされることによる遮断動作であることが確実に回路遮断器外部から視認可能とすることができるものである。
【００２４】
また、前記動作制御部から前記トリップコイルに向けて出力される動作信号を前記器体外部に取り出す信号出力手段を設けたことを特徴として構成してもよい。
【００２５】
これにより、動作制御部による限時特性制御がなされ、トリップコイルに動作信号が出力されたときには、該動作信号に対して外部にて信号処理を行うことができるため、回路遮断器近傍における視認のみならず、回路遮断器から離れた場所においても動作制御部による限時特性制御がなされたことを認識することができ、より利便性が高い回路遮断器を提供できるものである。
【発明の効果】
【００２６】
本発明によれば、電路において過電流が発生した場合に配線保護のために遮断したこと、ならびに、電路に流れる電流が、予め定められた設定電流値に達し所定の限時特性制御が行われたことにより電路を遮断したことを、回路遮断器外部から視認可能な回路遮断器を提供することができるという効果を奏する。
【発明を実施するための最良の形態】
【００２７】
以下，本発明の実施の形態について，図面を用いて詳細に説明する。
【００２８】
図１、図２は、この発明の第一の実施例を示した外観図ならびに概略ブロック図である。
【００２９】
１は本発明の回路遮断器であり、電路１０に介在するよう分電盤内に配設される。ここで、電路１０は複数相の電路を想定しており、１１は第一の電圧相（Ｌ１相という）、１２は第二の電圧相（Ｌ２相という）、１３は中性相（Ｎ相という）としている。
【００３０】
１０１は回路遮断器１を構成する器体であり、内容物を収納するケース及びカバー１０１１で構成されており、該器体１０１の一端には電源側端子１１０が設けられ、他端には負荷側端子１２０が設けられる。該電源側端子１１０ならびに負荷側端子１２０は電路を構成する電線もしくは導体が接続されるものである。
【００３１】
また、カバー１０１１には、後述する表示部３００が突出し外部から視認可能となるように、視認部１０１１が設けられている。該視認部１０１１は前記器体１０１を構成するカバー１０１１に孔部を設けて構成されており、表示部３００が、該孔部から器体１０１外側に向って突出、もしくは器体内部に引込可能に設けられている。
【００３２】
該電源側端子１１０ならびに負荷側端子１２０の間には、固定接点と該固定接点に対向して配設される可動接点からなる接点装置１０２と、該接点装置１０２を開閉する開閉機構部１０３と、該開閉機構部１０３に連動し、前記器体１０１外から開閉機構部を手動操作するためのハンドル操作部材１３０と、前記電路に過電流や短絡電流などの異常電流が生じた場合には前記開閉機構部１０３に作用し引き外し動作を行う引き外し装置１０４と、
前記電路１０におけるＬ１相１１並びにＬ２相１２に貫通挿入されて設けられ負荷電流の大きさを検出する第一の変流器（第一のＣＴという）１０５、第二の変流器（第二のＣＴという）１０６と、該第一の変流器１０５、第二の変流器１０６からの出力信号を受け取り、電路に流れる負荷電流の大きさを演算処理により求出し、予め定められた設定電流値と比較演算を行うことにより、該設定電流値よりも前記負荷電流の大きさが大きい場合には、所定の限時特性制御を行い、後述するトリップコイルに向けて引き外し信号を出力するよう、マイコンを用いて構成される動作制御部１０８と、前記動作制御部１０８からの前記引き外し信号により作動し、前記開閉機構部１０３に作用し引き外し動作を行うトリップコイル（ＴＣという）１０９とが設けられている。
【００３３】
また、前記電路１０におけるＬ１相１１、Ｌ２相１２、Ｎ相１３を一括して貫通挿入されて設けられ電路に流れる漏電電流を検出する零相変流器（ＺＣＴという）１０７が設けられる。該ＺＣＴ１０７の出力信号は前記動作制御部１０８に向けて出力される。前記動作制御部１０８においては、前述した第一のＣＴ１０５ならびに第二のＣＴ１０６からの出力信号の演算処理のほか、該ＺＣＴ１０７からの出力信号の演算処理も行い、所定の大きさの漏電電流が電路に発生しているときには、ＴＣ１０９に向けて引き外し信号を出力するように構成されている。なお、他の形態として漏電電流の検出処理を前述した第一のＣＴ１０５ならびに第二のＣＴ１０６からの出力信号の演算処理とは、別途処理回路を用いて行うように構成してもよい。
【００３４】
また、前記引き外し装置１０４は、バイメタルなどを用いて構成される熱動素子１０４１と、電路に流れる電流の電磁誘導により駆動する電磁引き外し素子１０４２とを用いた熱動電磁式にて構成される。なお、他の形態としてバイメタルなどの熱動素子を用いない完全電磁式にて構成してもよい。
【００３５】
ここで、前記動作制御部１０８で行われる前記第一のＣＴ１０５ならびに第二のＣＴ１０６からの出力信号を元にした演算処理は、前記両ＣＴにて検出される電路全体の電流のベクトル合成和を求めるように行われる。
【００３６】
これにより、各相毎の電流の大きさに応じた配線保護のための電路遮断動作は、前記熱動素子１０４１ならびに電磁引き外し素子１０４２にて構成される引き外し装置１０４が前記開閉機構部１０３に作用することにより行われ、予め定められた設定電流値を電路全体の電流値が超えた場合には、前記動作制御部１０８から前記ＴＣ１０９に引き外し信号が送られることにより前記開閉機構部１０３により電路の遮断動作が行われる。
【００３７】
表示部３００は、図１及び図３に示したように、円柱状の部材が、カバー１０１１に設けられた孔部（視認部１０１１１）を貫通するよう突出したり引込んだりするように構成される。該表示部３００は、ＴＣ１０９と連動して動作するようにリンクなどを設けて構成してもよいし、ソレノイドコイルと鉄芯などを用いて、動作制御部１０８からの前記引き外し信号により突出もしくは引込動作を行うように構成してもよい。
【００３８】
図４には、表示部別形態を示している。図４においては、表示部３０１が覗くことができるよう器体１０１に孔部を設けて視認部１０１１２が設けられており、該表示部３０１は、前記動作制御部１０８からの前記引き外し信号により駆動するＴＣ１０９と連動して、図中上側方向にスライド動作し、前記視認部１０１１１から覗くよう動作するように構成される。
【００３９】
回路遮断器が復帰したときには、前記表示部３０１は元の位置に戻り、前記視認部１０１１１から見えなくなるよう、表示／非表示の状態が択一的に行えるよう構成するとよい。
【００４０】
また、該表示部３０１は、ソレノイドコイルなどを用いて、動作制御部１０８からの前記引き外し信号により往復のスライド動作を行うように構成してもよい。また、該表示部３０１に、限時動作制御であることを表す「限時」、「制限」などの動作要因を示す言葉やマークなどを表記して、使用者がより判別しやすくなるように構成してもよい。
【００４１】
図５には、表示部の別形態を示している。図５においては、前記器体１０１内に、蓄電部ならびに動作制御部１０８により制御されるスイッチ部を設けて、前記蓄電部からの電源の供給を受けて、前記スイッチ部が入切することにより点灯消灯し、前記器体１０１外部から視認可能な発光部を設けて構成したものである。
【００４２】
図６には、更なる別形態として、前記動作制御部１０８から前記ＴＣ１０９に向けて出力される動作信号を前記器体外部に取り出す信号出力部４０１を設けた例を示している。前記動作制御部１０８から出力される動作信号をＴＣに出力するとともに、信号を分岐して器体外部に引出すことにより、前記回路遮断器１が動作した場合には、該回路遮断器１の設置場所まで確認に行かなくとも、前記限時特性制御がなされたことを離れた場所においても認知することができる。
【００４３】
前記信号出力部４０１は、前記器体１０１に接続コネクタを設けて構成しており、器体外部から信号線を接続可能としている。前記動作信号は、リレーなどを用いて外部から動作状態を取得できるように構成するとよい。該リレーは、メカニカルリレーや半導体リレーを用いて構成するとよい。
【００４４】
また、前述したように、有線を用いた信号出力のほか、前記回路遮断器１に無線送受信回路を設けて、無線を用いて前記動作信号を外部で取得できるように構成してもよい。無線の方式には、特定小電力無線や、微弱無線など種々の無線方式があるが、赤外線通信方式など、信号到達距離の必要性に応じて適宜通信方式を定めて構成するとよい。
【００４５】
動作制御部１０８における限時特性制御は次のとおり予め定められた設定電流値に対する負荷率（％）に応じて変化させている。
【００４６】
負荷率Ｉ（％）が１００＜Ｉ≦１１０の場合には約１８０秒でＴＣ１０９に向けて引き外し信号を出力し、負荷率Ｉ（％）が１１０＜Ｉ≦１２０の場合には約１０秒でＴＣ１０９に向けて引き外し信号を出力し、負荷率Ｉ（％）が１２０＜Ｉの場合には約５秒でＴＣ１０９に向けて引き外し信号を出力するように構成している。
【００４７】
これにより、電路全体の電流の大きさが前記設定電流値を超えた場合においても、速やかに回路遮断器１を遮断動作させることができる。なお、前記負荷率Ｉ（％）の幅の閾値は前記記載値にかかわらず適宜定めるとよい。
【００４８】
次に、前記回路遮断器１を分電盤に設置して使用する場合の説明を行う。
【００４９】
例えば、回路遮断器１の定格電流が６０Ａであり、予め定められた設定電流値が５０Ａであった場合について説明を行う。
【００５０】
回路遮断器の時延引き外し特性（ＪＩＳ  Ｃ８３７０  に記載されている時延引き外し特性参考）は、定格電流が６０Ａの場合には定格電流の２００％（１２０Ａ）の電流においては６分以内に動作し、定格電流の１２５％（７５Ａ）の電流においては１２０分以内に動作することが定められている。
【００５１】
ここで、前述した動作制御部１０８の限時特性制御においては、定格電流が６０Ａである場合には、負荷率Ｉ（％）が１２０＜Ｉ≦１３２の場合、即ち、７２Ａから７９．２Ａの電流においては約３分で動作し、負荷率Ｉ（％）が１３２＜Ｉ≦１４４の場合、即ち、７９．２Ａから８６．４Ａの電流においては約１０秒で動作し、負荷率Ｉ（％）が１４４＜Ｉの場合の場合、即ち、８６．４Ａより大きな電流においては約５秒で動作するように構成されているため、ＪＩＳ  Ｃ８３７０により定められている時延引き外し特性は満たしており、配線の保護が可能な電流範囲内において、電路を流れる電流の大きさが設定電流値を超えた場合には、より早く電路を遮断することが可能となるものである。
【００５２】
次に、図７を用いて第二の実施例の説明を行う。図７には、図１で示した回路遮断器において、設定電流値を回路遮断器の器体外部から設定することが可能であるように、電流設定部を設けた回路遮断器を示している。
【００５３】
図７において、２０１は電流設定部であり、本実施例ではロータリースイッチを用いて構成している。該電流設定部２０１は、前記動作制御部１０８と接続されており、該動作制御部１０８は前記電流設定部において設定された電流設定情報を受け取り、該電流設定情報を設定電流値として演算を行う。
【００５４】
前記電流設定部２０１においては、設定する電流の値を択一的に切り替え設定可能なように構成されており、該設定可能な電流は、３０Ａ、４０Ａ、５０Ａ、６０Ａの４種類を設けている。例えば、設定電流値を５０Ａに設定する場合には、前記ロータリースイッチを回転させ、５０Ａの電流値を選択する。
【００５５】
設定電流の値は、利用者の居住地域によって電力会社により定められる契約電流に基づいた値を選択するとよい。例えば、電力会社との契約電流が５０Ａである場合には、設定電流値を５０Ａに合わせることにより、該契約電流を超えて電流を使用するような場合において、速やかに電路を遮断することができる。
【００５６】
ここで、「電気用品安全法解釈例規集」における「電気用品の技術上の基準を定める省令  別表五  ２  アンペア制用電流制限器」の動作特性によれば、定格電流   が２０Ａのものにあっては、最大不動作電流は２２Ａ（１１０％）であり、３０秒不動作電流は２８Ａ（１４０％）であり、１秒不動作電流は７０（３５０％）と定められてある。
【００５７】
また、定格電流 が３０Ａのものにあっては、最大不動作電流は３３Ａ（１１０％）であり、３０秒不動作電流は３９Ａ（１３０％）であり、１秒不動作電流は１００（３３３％）と定められてある。
【００５８】
また、定格電流 が４０Ａのものにあっては、最大不動作電流は４４Ａ（１１０％）であり、３０秒不動作電流は５２Ａ（１３０％）であり、１秒不動作電流は１２０（３００％）と定められてある。
【００５９】
また、定格電流 が５０Ａのものにあっては、最大不動作電流は５４Ａ（１０８％）であり、３０秒不動作電流は６４Ａ（１２８％）であり、１秒不動作電流は１５０（３００％）と定められてある。
【００６０】
また、定格電流 が６０Ａのものにあっては、最大不動作電流は６４Ａ（１０７％）であり、３０秒不動作電流は７６Ａ（１２７％）であり、１秒不動作電流は１８０（３００％）と定められてある。
【００６１】
なお、３０秒不動作電流を通じた場合においては、３０秒以内に自動的に動作せず、かつ、６０分以内に動作すること、また、１秒不動作電流を通じた場合においては、１秒以内に自動先に動作せず、かつ、定格電流に応じて、定格電流が３０Ａ以下の場合には、１０行以内に動作し、定格電流が４０Ａ以下の場合には、２０秒以内に動作し、定格電流が５０Ａ以下の場合には、２０秒以内に動作し、定格電流が６０Ａ以下の場合には、３０秒以内に動作すること、と定められてある。
【００６２】
したがって、前記動作制御部１０８の限時特性動作は、配線保護の範囲内でなおかつ、これらのアンペア制用電流制限器における動作特性を満たすよう行われるものである。
【００６３】
第二の実施例においても、前述した第一の実施例で記載したように、種々の表示部を適用して構成することにより、課題を解決するにあたり好適な回路遮断器の提供を行うことができる。該表示部の構成については第一の実施例と同等であるため、説明は省略する。
【００６４】
なお、本発明は、開示した実施例に限定されることなく、発明の要旨を逸脱しない限りにおいて、適宜、必要に応じて、改良や設計変更は自由であり、例えば、前記引き外し装置１０４の構成は、熱動素子を用いずに、完全電磁式の引き外し装置（電流コイルに流れる負荷電流によって発生する電磁力を利用して過電流を検出する装置）を用いて構成してもよいし、前記電流設定部２１０の構成は、ロータリースイッチの他に、スライドスイッチや、電子的に設定電流値を切り替えるよう構成されたボタン式のスイッチを用いて構成しても良い。
【００６５】
また、表示部の形状は、丸形、四角形の他、三角形など種々の形状を用いた構成としてもよいし、種々の色彩を用いて構成してもよい。また、発光部として、発光ダイオードを用いた発光部の他、エレクトロルミネセンス（ＥＬ）パネルを用いて面発光としてもよいし、液晶表示部を設けて回路遮断器の動作状態を示すように構成を行ってもよい。
【００６６】
また、実使用上、当面、主開閉器と電流制限器とが分電盤内に配設される間、コストの低減を目的として、前記回路遮断器１において、ＺＣＴ１０７や、Ｎ相に設けられている引き外し装置を取り除いて電流制限専用の遮断器として構成して、前記主開閉器との共用化を図り構成してもよい。
【産業上の利用可能性】
【００６７】
本発明における回路遮断器は、単相三線式の一般的な住宅用分電盤に設置する電流制限器並びに主回路遮断器に置き換えて利用することができる可能性がある。
【図面の簡単な説明】
【００６８】
【図１】第一の実施例の回路遮断器の概略外形図である。
【図２】第一の実施例の回路遮断器の概略ブロック図である。
【図３】表示部分の拡大図である。
【図４】他の形態の表示部分の拡大図である。
【図５】他の形態の表示部分の拡大図である。
【図６】信号出力部を示した図である。
【図７】第二の実施例の回路遮断器の概略ブロック図である。
【図８】一般的な分電盤の内部構成を示した図である。
【符号の説明】
【００６９】
１  回路遮断器
１０  電路
１１  第一の相
１２  第二の相
１３  第三の相
１０１  器体
１０１１  カバー
１１０  電源側端子
１２０  負荷側端子
１３０  操作パネル
１０２  接点装置
１０３  開閉機構部
１０４  引き外し装置
１０４１  熱動素子
１０４２  電磁引き外し素子
１０５  第一の変流器
１０６  第二の変流器
１０７  零相変流器
１０８  動作制御部
１０９  トリップコイル
１０１１１  視認部
１０１１２  視認部
３００  表示部
３０１  表示部
３０２  発光部
４０１  信号出力部
【図１】
2008078003.tif 000003
【図２】
2008078003.tif 000004
【図３】
2008078003.tif 000005
【図４】
2008078003.tif 000006
【図５】
2008078003.tif 000007
【図６】
2008078003.tif 000008
【図７】
2008078003.tif 000009
【図８】
2008078003.tif 000010